(57)【要約】  少なくとも１つのソリッドステート照明ユニットの目標輝度レベルを取得し、その目標輝度レベルを得るための参照駆動電流振幅を決定して照明デバイスを動作させる。もし参照駆動電流振幅が最適駆動電流振幅より小さければ、ソリッドステート照明ユニットをパルス幅変調された最適駆動電流振幅で動作させて目標輝度レベルを達成する。【選択図】図１
2009533813.tif 000002
【特許請求の範囲】
【請求項１】
照明デバイスを動作させる方法であって、
少なくとも１つのソリッドステート照明ユニットの目標輝度レベルを取得するステップと、
上記目標輝度レベルを達成するための参照駆動電流振幅を決定するステップと、
上記参照駆動電流振幅が最適駆動電流振幅より小さいか、またはそれに等しい時には、上記ソリッドステート照明ユニットをパルス幅変調された最適駆動電流振幅で駆動して上記目標輝度レベルを達成するステップと、
を含むことを特徴とする方法。
【請求項２】
上記ソリッドステート照明ユニットが最高効率を呈する駆動電流から、上記最適駆動電流振幅を決定するステップを更に含むことを特徴とする請求項１に記載の方法。
【請求項３】
上記ソリッドステート照明ユニットの最高効率は、上記ソリッドステート照明ユニットの光束と入力電力との比の最大値であることを特徴とする請求項２に記載の方法。
【請求項４】
上記最適駆動電流は、上記ソリッドステート照明ユニット材料の特性に依存することを特徴とする請求項１に記載の方法。
【請求項５】
上記参照駆動電流振幅が上記最適駆動電流振幅より大きい時には、上記ソリッドステート照明ユニットを上記参照駆動電流振幅で駆動して上記目標輝度レベルを達成するステップを更に含むことを特徴とする請求項１に記載の方法。
【請求項６】
少なくとも上記参照駆動電流振幅が上記最適駆動電流振幅より大きい時には、上記ソリッドステート照明ユニットを振幅変調された駆動電流で駆動して上記目標輝度レベルを達成するステップを更に含むことを特徴とする請求項１に記載の方法。
【請求項７】
上記参照駆動電流振幅と上記最適駆動電流振幅との比から、上記パルス幅変調された最適駆動電流振幅のデューティサイクルを決定するステップを更に含むことを特徴とする請求項１に記載の方法。
【請求項８】
上記ソリッドステート照明ユニットを、バックコンバータ回路を用いて駆動するステップを更に含むことを特徴とする請求項１に記載の方法。
【請求項９】
照明デバイスであって、
ソリッドステート照明ユニットと、
少なくとも１つのソリッドステート照明ユニットの目標輝度レベルを決定する取得ユニットと、
上記目標輝度レベルを達成するための参照駆動電流振幅を決定する決定ユニットと、
上記参照駆動電流振幅が最適駆動電流振幅より小さいか、またはそれに等しいことを決定し、上記参照駆動電流振幅が上記最適駆動電流振幅より小さいか、またはそれに等しい時には、上記ソリッドステート照明ユニットをパルス幅変調された最適駆動電流振幅で駆動して上記目標輝度レベルを達成する駆動ユニットと、
を含むことを特徴とする照明デバイス。
【請求項１０】
少なくとも２つの請求項９に記載されているような照明デバイスと、
上記少なくとも２つの各照明デバイスを、請求項１に記載されているような方法に従って目標輝度レベルで駆動する駆動ユニットと、
を含むことを特徴とするシステム。
【請求項１１】
レコードキャリア内に明確に実現されているコンピュータプログラムプロダクトであって、実行された時に少なくとも１つのプロセッサに、
少なくとも１つのソリッドステート照明ユニットの目標輝度レベルを取得するステップと、
上記目標輝度レベルを達成するための参照駆動電流振幅を決定するステップと、
上記参照駆動電流振幅が最適駆動電流振幅より小さいか、またはそれに等しい時には、上記ソリッドステート照明ユニットをパルス幅変調された最適駆動電流振幅で駆動して上記目標輝度レベルを達成するステップと、
を遂行させる命令を含むことを特徴とするコンピュータプログラムプロダクト。
【発明の詳細な説明】
【技術分野】
【０００１】
本発明は、一般的にソリッドステート照明（ライティング）と、及びソリッドステート照明ユニットを動作させる方法に関する。
【背景技術】
【０００２】
ソリッドステート照明は、照明市場における重要なフィーチャになっている。発光ダイオード（ＬＥＤ）及び有機発光ダイオード（ＯＬＥＤ）のようなソリッドステート照明（ＳＳＬ）ユニットは低コストの照明を提供するので、一般的な照明（イルミネーション）市場が企図されている。ソリッドステート光源は、特定の波長の光を発生する。これらの波長は、使用される材料（即ち、半導体）と、ＳＳＬユニットの環境特性とに依存する。更に、ソリッドステート光源は高い発光効力（luminous efficacy）を有することができるが、これも温度及び駆動方法の関数である。
【０００３】
現在の照明応用においては、ソリッドステート光源のルーメン出力が最大であることが望まれている。従って、ソリッドステート光源は最大許容振幅の電流で駆動される。これは、熱的制約を伴い得る。しかしながら、ソリッドステート光源を最大駆動電流で駆動しても、効率的なルーメン出力はもたらされない。換言すれば、駆動電流をより小さくすれば、発光効力を高くすることができる。
【０００４】
ソリッドステート光源を減光させる必要があるような応用も存在する。これは、環境照明の場合であり得る。更に、ソリッドステート光源をＲＧＢ ＬＥＤランプのような着色ランプに使用する場合（この場合、１つより多くの波長が必要になる）、各ランプの輝度並びに総合的な輝度を調整する必要がある。
【０００５】
当分野においては、振幅変調（ＡＭ）、パルス幅変調（ＰＷＭ）、またはパルス周波数変調（ＰＦＭ）を使用して駆動電流を変調する方法が公知である。また当分野においては別の変調方法も公知である。DE 198 48 925 A1は、パルス幅変調によってソリッドステート照明ユニットの駆動電流を調整できるようにした方法を開示している。この文献は、駆動電流の振幅があるしきい値に等しいか、またはそれよりも大きい場合に、パルス幅変調によって輝度を低下させることができることを示している。しかしながら、この文献では、ソリッドステート光源の減光を達成するのにソリッドステート光源の発光効力及び効率（efficiency）を考慮していない。
【発明の開示】
【発明が解決しようとする課題】
【０００６】
本発明の目的は、ソリッドステート光源の効率的な使用を達成することである。本発明のさらなる目的は、ソリッドステート光源の輝度レベルを低下させた場合でも、発光効力及び効率を高めることである。本発明の別の目的は、所与の輝度レベルにおいて最適の発光効力及び効率を得ることであり、また参照駆動電流振幅が最適駆動電流振幅よりも大きい時には、ソリッドステート照明ユニットを参照駆動電流で駆動することである。
【課題を解決するための手段】
【０００７】
これらの、及び他の目的は、照明デバイスを動作させる方法によって解消される。本方法は、少なくとも１つのソリッドステート照明ユニットの目標輝度レベルを取得するステップと、上記目標輝度レベルを達成するための参照駆動電流振幅を決定するステップと、上記参照駆動電流振幅が最適駆動電流振幅より小さいか、またはそれに等しい時に、上記ソリッドステート照明ユニットをパルス幅変調された最適駆動電流振幅で駆動して上記目標輝度レベルを達成するステップとを含む。
【０００８】
ルーメン出力は最大許容電流振幅において最大になるが、発光効力及び効率はより小さい電流振幅においてより高くなることが分かっている。最適駆動電流振幅は、データシートの相対光束／入力電力曲線のようなソリッドステート照明ユニットの動作データを評価することによって求めることができる。また、目標輝度レベルは、ソリッドステート照明ユニットを最適駆動電流振幅で駆動することによって、またこの最適駆動電流振幅をパルス幅変調することによって達成することができる。これは、ソリッドステート照明ユニットの最大効率を得るために行われる。
【０００９】
本発明によれば、ＬＥＤランプに使用されるＬＥＤのようなソリッドステート照明ユニットの強度、並びに複数のＬＥＤの強度を制御しながら、しかも高い効率を提供することができる。色の変化、及び同一色のＬＥＤ間の輝度差の増加を制御しながら、高い効率を維持することができる。
【００１０】
参照駆動電流振幅は、ソリッドステート照明ユニットを目標輝度で動作させるために必要な電流振幅を求めることによって決定することができる。参照駆動電流振幅は、そのソリッドステート照明ユニットのために準備されたデータシートを使用することによって求めることができる。このデータシートは、入力電力と光束との間の関係に関する情報を与えることができる。輝度レベル及び駆動電流をオンラインで測定することができ、従って参照駆動電流振幅を求めることも可能である。
【００１１】
電流振幅は、光源を駆動する電流値であると理解することができる。それは、サージ、時間平均値、または実効値であることも、または最小電流と最大電流との差であることもできる。
【００１２】
参照駆動電流振幅を決定した後に、参照駆動電流振幅と最適駆動電流振幅とを比較することができる。この最適駆動電流振幅は、光束と入力電力との間の関係を計算することによって求めることができる。この関係関数の極大値を、最適駆動電流振幅と考えることができる。この駆動電流振幅において、光束と入力電力との比である効率が最高になる。
【００１３】
本発明によれば、もし参照駆動電流が最適駆動電流より小さいか、またはそれに等しければ、ソリッドステート照明ユニットをパルス幅変調した最適駆動電流振幅で駆動する。この最適駆動電流振幅は、他の如何なる変調をも用いずにソリッドステート照明ユニットに印加すれば、目標輝度レベルよりも高い輝度レベルを発生させる。それにも拘わらず、最適駆動電流振幅は、ソリッドステート照明ユニットに最高効率を与える。目標輝度レベルを得るために、最適駆動電流振幅をパルス幅変調することを提案する。このパルス幅変調は、目標輝度レベルに到達するまで輝度レベルを低下させる。
【００１４】
最適駆動電流振幅の決定は、特許請求の範囲の請求項２に記載されている方法が好ましい。入力電流、または入力電圧に関連する効率関数は、光束と入力電力（即ち、入力電流、入力電圧、または入力電流と入力電圧との積）との間の関係を計算することによって求めることができる。この効率関数は、極大値を有することができる。極大値に到達した位置が、最適駆動電流振幅を決定する。
【００１５】
従って、特許請求の範囲の請求項３に記載されている方法もまた好ましい。
【００１６】
特許請求の範囲の請求項４に記載されている方法では、ソリッドステート照明ユニットの最大効率は、ソリッドステート照明ユニットの材料特性及び周囲特性の関数であることができる。例えば、ソリッドステート照明ユニット内に異なる半導体を使用すると、異なる効率曲線が得られる。更に、温度は効率曲線に影響を与えてその極大値をバイアスし得るから、最適駆動電流振幅を変化させ得る。
【００１７】
最適駆動電流振幅に等しいか、またはそれよりも小さい駆動電流を用いても目標輝度レベルを達成することはできない。この場合、特許請求の範囲の請求項５に記載されている方法が好ましい。もし、最適駆動電流振幅よりも大きい駆動電流を用いなければ目標輝度レベルに到達できないのであれば、ソリッドステート照明ユニットは目標輝度レベルを得るために参照駆動電流振幅を用いて駆動される。
【００１８】
ソリッドステート照明ユニットは、振幅変調を用いて駆動することが好ましい。特許請求の範囲の請求項６に記載されているように、参照駆動電流振幅が最適駆動電流振幅よりも大きい時には、少なくとも、ソリッドステート照明ユニットを振幅変調した駆動電流で駆動することが好ましい。
【００１９】
もし参照駆動電流振幅が最適駆動電流振幅より小さければ、最適駆動電流振幅をパルス幅変調してソリッドステート照明ユニットを駆動する。パルス幅変調した最適駆動電流振幅のデューティサイクルは、特許請求の範囲の請求項７に記載されているようにして決定することができる。参照駆動電流が最適駆動電流振幅よりも低い程、デューティサイクルを小さくする。
【００２０】
ソリッドステート照明ユニットを、特許請求の範囲の請求項８に記載されている回路によって駆動することもまた好ましい。本明細書においては、バックコンバータ回路は、電圧ステップダウンコンバータ、電流ステップアップコンバータ、チョッパ、ダイレクトコンバータ等、または何等かの型のスイッチドモード電源であると理解される。この回路は、最小数の電子部品を用いて振幅変調及びパルス幅変調の両方を達成することができる。このような回路を用い、例えばヒステリシス制御を使用してＬＥＤ電流を調整し、ある電流波形を得ることによって振幅変調が可能になる。パルス幅変調は、パルス幅変調パターンが要求するように、好ましくは低周波数で、バックコンバータ（スイッチドモード電源）をオン及びオフにスイッチングさせることによって達成することができる。他の何等かのスイッチング電源も、同様に使用することができる。
【００２１】
本発明の別の面は、照明デバイスである。本照明デバイスは、ソリッドステート照明ユニットと、少なくとも１つのソリッドステート照明ユニットの目標輝度レベルを決定する取得ユニットと、目標輝度レベルを達成するための参照駆動電流振幅を決定する決定ユニットと、上記参照駆動電流振幅が最適駆動電流振幅よりも小さいか、または等しいことを決定し、上記参照駆動電流振幅が上記最適駆動電流振幅よりも小さいか、または等しい時には上記ソリッドステート照明ユニットをパルス幅変調された最適駆動電流振幅で駆動して目標輝度レベルを得る駆動ユニットとを含む。
【００２２】
本発明のさらなる面は、少なくとも２つの上述したような照明デバイスを含むシステムである。２つの照明デバイスは駆動ユニットによって、上述したような方法に従って駆動される。このシステムは、１つより多くのソリッドステート光源を用いてソリッドステート照明システムを動作させるようになっている。このシステムは、ランプの総合輝度レベルをアンビエント照明に順応させることができる。更にこのシステムは、単一ソリッドステート照明ユニットの輝度レベルを制御することによってランプの色及び総合的な輝度を調整することができる。
【００２３】
本発明の別の面は、レコードキャリア内に明確に実現されているコンピュータプログラムプロダクトである。このコンピュータプログラムプロダクトは、実行された時に、少なくとも１つのプロセッサに、少なくとも１つのソリッドステート照明ユニットの目標輝度レベルを取得するステップと、上記目標輝度レベルを得るための参照駆動電流振幅を決定するステップと、上記参照駆動電流振幅が最適駆動電流振幅よりも小さいか、または等しい時には、上記ソリッドステート照明ユニットをパルス幅変調された最適駆動電流振幅で駆動して上記目標輝度レベルを得るステップとを遂行させる命令を含む。
【００２４】
本発明のこれらの面は、所与の輝度において最適発光効力及び効率をもたらし、また参照駆動電流振幅が最適駆動電流振幅よりも大きい時にはソリッドステート照明ユニットを参照駆動電流振幅で駆動するようにしている。
【００２５】
本発明のこれらの、及び他の面は、以下の実施の形態の詳細な説明から明白になるであろう。
【発明を実施するための最良の形態】
【００２６】
本発明は、低輝度レベルにおいてさえもソリッドステート光源の発光効力を高める。モノクロームランプにおいて、並びにＲＧＢ ＬＥＤランプのようなマルチカラーランプにおいて、ソリッドステート光源の輝度レベルを低下させるために振幅変調を使用することを提案する。この振幅変調は、発光効力が最大になるまで適用される。また、電流振幅をこの値に維持し、輝度レベルをより低い値に低減させるためにパルス幅変調を使用することも提唱する。本発明の方法を使用することによって、ソリッドステート照明ユニットの減光を可能にしながら、モノクローム及び着色されたソリッドステート光源の両方における発光効力を最適化することができる。
【００２７】
本発明による方法及びデバイスは、ソリッドステート照明ユニットの光束の発光効力及び効率が、照明ユニットの駆動電力及び光束に依存するという事実を利用している。図１のグラフ１００は、入力電力１０４、光束１０２、及び効率１０６（これは、光束１０２と入力電力１０４との間の関係の関数である）の間の依存性を示している。グラフ１００から明らかなように、光束１０２は入力電力１０４の増加に伴って増加する。これは、入力電力１０４を増加させると、ソリッドステート照明ユニットの合計輝度レベルが増加することを表している。しかしながら、電流が大きくなると、ソリッドステート照明ユニットの効率が低下する。グラフ１００から理解できるように、発光効率１０６は、約0.1Ａの駆動電流において最大値を呈している。この値において効率は最高であり、入力電力と光束との間に最良の比がもたらされる。通常、ＧaＰ １W ＬＥＤは、最大ルーメン出力を得るために0.35Ａの電流で動作される。温度の制約から、この値よりも高い駆動電流は許容されない。輝度レベルを調整するために、電流振幅（従って、入力電力１０４）を0.1Ａまで低減させるべきことが提唱されている。この値においては、発光効力は最大になる。より低いルーメン出力が必要である場合は、ソリッドステート照明ユニットを最適駆動電流振幅よりも大きい参照駆動電流振幅で駆動すると、所与の輝度レベルにおいて最適発光効力及び効率が得られる。
【００２８】
これが、本発明による方法を適用しようとする所以である。
【００２９】
本発明による方法は、図２に示すシステム２００を用いて遂行することができる。システム２００は、複数の照明デバイス２０２ａ、２０２ｂを含むことができる。照明デバイス２０２は、ＬＥＤまたはＯＬＥＤであることができるソリッドステート照明ユニット２０４を含むことができる。照明デバイス２０２は、少なくとも１つのソリッドステート照明ユニットの目標輝度レベルを決定する取得ユニット２０６と、ＬＥＤ２０４の最適駆動電流振幅を決定する決定ユニット２０８と、目標輝度レベルを得るための参照駆動電流振幅を決定する決定ユニット２１０と、ソリッドステート照明ユニット２０４を振幅変調及びパルス幅変調された適切な駆動電流で駆動する駆動ユニット２１２とを収容している。取得ユニット２０６は、目標輝度レベル値を受信するための入力ポートを有している。この目標輝度レベル値は、システム２００の特定の輝度レベル及び色を達成するために、システム２００を駆動する駆動回路から供給することができる。決定ユニット２０８は、最適駆動電流振幅を求めるようにソリッドステート照明ユニット２０４から値を受信することができる。代替として、駆動電流振幅を得るための値をユーザが決定ユニット２０８へ入力することもできる。更に、これらの値を決定ユニット２０８内のルックアップテーブル内に格納することができる。決定ユニット２０８は、最適駆動電流値を得るために、ソリッドステート照明ユニット２０４に対して試験を遂行することができる。後述するように駆動ユニット２１２は、振幅変調及びパルス幅変調された適切な電圧及び駆動電流を使用してソリッドステート照明ユニット２０４を駆動することができる。
【００３０】
図３は、照明デバイス２０２を動作させるためのフローチャート３００である。
【００３１】
目標輝度レベルが取得ユニット２０６に入力される（３０４）。取得ユニット２０６は取得した目標輝度レベルを決定ユニット２１０へ転送し、決定ユニット２１０において目標輝度レベルを求めるための参照駆動電流振幅が決定される（ステップ３０２）。参照駆動電流振幅の決定（ステップ３０２）は、目標輝度レベルから、この目標輝度レベルを得るのに必要な連続的な電流振幅への変換である。この計算は、光束１０２と入力電力１０４との間の関係を使用することによって遂行される。光束１０２は、目標輝度レベルから、従って所要の連続電流振幅から、即ち参照駆動電流振幅から、所要の入力電力を求めるために使用することができる。
【００３２】
ステップ３０６において決定ユニット２１０は、グラフ１００から、参照駆動電流振幅である連続電流振幅ＩCONを計算する。
【００３３】
ステップ３１０において、参照駆動電流振幅ＩCONが処理される。ステップ３１０において、駆動ユニット２１２で決定ユニット２０８から最適駆動電流振幅が受信される（３０８）。駆動ユニット２１２は、参照駆動電流振幅が、受信した最適駆動電流振幅より大きいか否かを調べる。
【００３４】
もし参照駆動電流振幅が最適駆動電流振幅より大きいことを駆動ユニット２１２が決定すれば、駆動ユニット２１２はステップ３１２において、ソリッドステート照明ユニット２０４を参照駆動電流振幅に等しい駆動電流で駆動する。参照駆動電流振幅は、電流振幅変調を使用することによってソリッドステート照明ユニット２０４に印加することが好ましい。
【００３５】
もし参照駆動電流振幅が最適駆動電流振幅より小さければ、駆動ユニット２１２はステップ３１４において、ソリッドステート照明ユニット２０４を最適駆動電流に等しい駆動電流で駆動する。しかしながら、最適駆動電流振幅が参照駆動電流振幅より大きいので、ソリッドステート照明ユニット２０４は目標輝度レベルよりも高い輝度レベルを発生しようとする。従って、ステップ３１４において、ソリッドステート照明ユニット２０４に印加される電流はパルス幅変調される。このパルス幅変調は、連続的に最適電流振幅に等しい連続電流振幅を印加する場合に比して輝度レベルを低下させる。パルス幅変調のデューティサイクルは、駆動ユニット２１２において、参照駆動電流振幅と最適駆動電流振幅との間の比として計算される。最適駆動電流振幅に比して参照駆動電流振幅が小さい程デューティサイクルも小さくなるので、輝度レベルは更に低下する。
【００３６】
駆動ユニット２１２の動作を、図４に示すバックコンバータによって説明する。バックコンバータ４００は、電圧源４０２、スイッチ４０４、ダイオード４０６、インダクタンス４０８、キャパシタ４１０、及びＬＥＤ４１２を含む。バックコンバータ４００は、振幅変調及びパルス幅変調の両方を実現することができるスイッチドモード電源である。振幅変調は、回路４００のヒステリシス制御を使用してＬＥＤ電流ＩLEDを調整することによって可能になる。パルス幅変調は、スイッチドモード電源を、計算されたデューティサイクルによって要求されるようにスイッチングすることによって遂行する。パルス幅変調されたパターンは、図６に示すような電流波形になる。
【００３７】
図５のグラフ５００は、連続駆動電流振幅５０２、回路４００をオン及びオフにスイッチングさせるために印加される制御信号５０４、及びＬＥＤ４１２を流れる電流ＩLED５０６を示している。制御信号５０４はヒステリシス制御からもたらされ、このヒステリシス制御は電流ＩLED５０６を連続駆動電流振幅５０２に近接させ続ける。図示の例では、デューティサイクルは１であり、連続駆動電流振幅５０２は所要輝度レベルを得るための計算された参照電流振幅に等しい。図から明らかなように、電流ＩLED５０６は連続駆動電流振幅５０２付近で振動している。
【００３８】
図６に示すグラフ６００は、連続駆動電流６０２、スイッチ４０４に印加される制御信号６０４、及びＬＥＤ４１２を流れる電流ＩLED６０６を示している。図示の例では、連続駆動電流６０２は最適駆動電流振幅にセットされている。しかしながら、これは輝度レベルを目標輝度レベルより高くしてしまう。この理由から、制御信号６０４がパルス幅変調される。パルス幅変調は、参照駆動電流振幅と最適駆動電流振幅との間の関係である周期ＴにおけるデューティサイクルＤＴを生じさせる。制御信号をパルス幅変調することによって、デューティサイクルの値に従ってＬＥＤの輝度レベルを低下させることができる。駆動電流６０６は、最適駆動電流振幅６０２付近で振動している。このパルス幅変調パターンには、電流ＩLED６０６を連続駆動電流振幅６０２に近接させ続けるようにするヒステリシス制御からもたらされる制御信号６０４のスイッチングが重畳されている。
【００３９】
本発明は、ソリッドステート照明ユニットの発光効力に関する情報を使用することによって、ソリッドステート照明ユニットの減光を高い効率で遂行する。
【００４０】
好ましい実施の形態に適用された本発明の基本的な新規特色を図示し、説明したが、当業者ならば、本発明の思想から逸脱することなく上述したデバイス及び方法の形状及び細部の種々の省略、置換、及び変更が可能であろう。例えば、同一の結果を達成するために実質的に同一の手法で、実質的に同一の機能を遂行する構成要素及び／または方法のステップの全ての組合せが本発明の範囲内にあることは明白である。更に、本発明の開示した形状、または実施の形態の何れかに関連して図示し、及び／または説明した構造、及び／または構成要素、及び／または方法のステップは、一般的な選択上の問題として、他の何れかの開示した、または記述した、または示唆した形状、または実施の形態内に組み入れることが可能であることを理解されたい。従って、本発明は、特許請求の範囲によってのみ限定されることを意図するものであり、また何れの参照符号も本発明の範囲を限定する意図がないことも理解されたい。
【図面の簡単な説明】
【００４１】
【図１】ソリッドステート照明デバイスの相対光束、入力電力、及び発光効力を示すグラフである。
【図２】本発明によるシステムの実施の形態を示す図である。
【図３】本発明による照明ユニットの動作を示すフローチャートである。
【図４】駆動回路の実施の形態を示す図である。
【図５】駆動電流の振幅変調を示すグラフである。
【図６】駆動電流のパルス幅変調を示す別のグラフである。
【符号の説明】
【００４２】
１０２  光束
１０４  入力電力
１０６  発光効率
２００  システム
２０２ａ，２０２ｂ  照明デバイス
２０４  ソリッドステート照明ユニット
２０６  取得ユニット
２０８  決定ユニット
２１０  決定ユニット
２１２  駆動ユニット
４００  バックコンバータ
４０２  電圧源
４０４  スイッチ
４０６  ダイオード
４０８  インダクタンス
４１０  キャパシタ
５０２  連続駆動電流振幅
５０４  制御信号
５０６  電流ＩLED
６０２  連続駆動電流振幅
６０４  制御信号
６０６  電流ＩLED
【図１】
2009533813.tif 000003
【図２】
2009533813.tif 000004
【図３】
2009533813.tif 000005
【図４】
2009533813.tif 000006
【図５】
2009533813.tif 000007
【図６】
2009533813.tif 000008
【国際調査報告】
2009533813.tif 000009
2009533813.tif 000010